(57)【要約】  本発明は、映像音声データに関するレート変換ダビングの処理時間を短縮できるデータ処理技術を提供することを目的とする。例えば、ＡＶデコーダとＡＶエンコーダとを有する記録再生システムのデータ処理装置において映像音声データのレート変換ダビングが開始されると、まずＡＶデコーダにおいて最初のデータ(ＤＡ)の復号化が開始される。そして、データ(ＤＡ)の復号化が完了するとＡＶデコーダから制御信号が発信される。この制御信号を受信したＡＶエンコーダでは、直ちに復号化された復号化データ(ＤＡ)の符号化を開始する。次に、ＡＶエンコーダにおいて復号化データ(ＤＡ)の符号化が完了すると、ＡＶエンコーダから制御信号が発信される。この制御信号を受信したＡＶエンコーダでは、直ちに次のデータ(ＤＢ)の復号化が開始される。以上のような制御を行うことにより、レート変換ダビングの処理時間を短縮できる。
2008023763.tif 000002
【特許請求の範囲】
【請求項１】
第１の映像音声データに基づき、前記第１の映像音声データとデータサイズが異なる第２の映像音声データを生成するデータ処理装置であって、
前記第１の映像音声データを所定のデータ単位毎に復号化し、復号化データを順次に生成する復号化手段(１２１、１２２)と、
前記復号化手段で生成された復号化データを符号化し、符号化データを順次に生成する符号化手段(１３１、１３２)と、
前記符号化手段で生成される符号化データに基づき、前記第２の映像音声データを構築する構築手段(１３０)と、
を備え、
前記復号化手段(１２１、１２２)は、
前記復号化データが生成される度に、１の復号化データが生成された旨を示す第１信号(Ｃａ)を前記符号化手段に送信する第１送信手段、
を有するとともに、
前記符号化手段(１３１、１３２)は、
前記１の復号化データの符号化が完了する度に、前記１の復号化データの符号化が完了した旨を示す第２信号(Ｃｂ)を前記復号化手段に送信する第２送信手段、
を有し、
前記符号化手段(１３１、１３２)では、前記第１信号(Ｃａ)を受信すると、前記１の復号化データの符号化を開始するとともに、
前記復号化手段(１２１、１２２)では、前記第２信号(Ｃｂ)を受信すると、前記１の復号化データに対して次の復号化データの生成を開始することを特徴とするデータ処理装置。
【請求項２】
請求項１に記載のデータ処理装置において、
前記復号化手段(１２１、１２２)および前記符号化手段(１３１、１３２)では、前記第１の映像音声データについて映像データのみの復号化および符号化が行われることを特徴とするデータ処理装置。
【請求項３】
請求項２に記載のデータ処理装置において、
前記構築手段(１３０)は、
前記第１の映像音声データにおける時間情報を利用し、前記第２の映像音声データを構築する手段、
を有することを特徴とするデータ処理装置。
【請求項４】
第１の映像音声データに基づき、前記第１の映像音声データとデータサイズが異なる第２の映像音声データを生成するデータ処理方法であって、
ａ）前記第１の映像音声データを所定のデータ単位毎に復号化し、復号化データを順次に生成する工程(Ｓ２)と、
ｂ）前記工程ａ）で生成された復号化データを符号化し、符号化データを順次に生成する工程(Ｓ６)と、
ｃ）前記工程ｂ）で生成される符号化データに基づき、前記第２の映像音声データを構築する構築工程と、
を備え、
前記工程ａ）は、
前記復号化データが生成される度に、１の復号化データが生成された旨を示す第１信号(Ｃａ)を発信する工程(Ｓ５)、
を有するとともに、
前記工程ｂ）は、
前記１の復号化データの符号化が完了する度に、前記１の復号化データの符号化が完了した旨を示す第２信号(Ｃｂ)を発信する工程(Ｓ８)、
を有し、
前記工程ｂ）では、前記第１信号(Ｃａ)を受信すると、前記１の復号化データの符号化を開始するとともに、
前記工程ａ）では、前記第２信号(Ｃｂ)を受信すると、前記１の復号化データに対して次の復号化データの生成を開始することを特徴とするデータ処理方法。
【請求項５】
記録再生システムであって、
第１の記録媒体(１１)に記録された映像データと音声データとを含む第１の映像音声データをデータ圧縮しデータサイズが小さくされた第２の映像音声データとして第２の記録媒体(９)に記録する圧縮記録処理を行う処理手段(１、１Ａ)と、
前記第１の映像音声データを等倍速で再生する等倍速の再生が可能な再生手段(１２、１２Ａ)と、
を備え、
前記第１の映像音声データについて前記圧縮記録処理にかかる処理時間は、当該第１の映像音声データに関して前記等倍速の再生を行う再生時間より短いことを特徴とする記録再生システム。
【発明の詳細な説明】
【技術分野】
【０００１】
本発明は、第１の映像音声データに基づき、これとデータサイズが異なる第２の映像音声データを生成するデータ処理技術に関するものである。
【背景技術】
【０００２】
ＨＤＤ／ＤＶＤレコーダなどの記録再生システム(データ処理装置を含む)においては、例えば下記の非特許文献１に記載される動画像圧縮技術を利用して、ＨＤＤに映像音声データ(ＡＶデータ)を録画し、またＨＤＤに録画したＡＶデータをＤＶＤにダビングできるものがある。【０００３】
上記のダビングの種類については、レート変換(再圧縮)を行わない高速ダビングと、レート変換を行うレート変換ダビングとがある。例えばＤＶＤの記録容量より大きいサイズのＡＶデータがＨＤＤに記憶されている場合には、レート変換ダビングにより再圧縮してＤＶＤに収めることが可能である。【０００４】
このようなレート変換ダビングにおいては、ＨＤＤ内のＡＶデータを順次に復号化して再生表示するとともに、復号化されたデータの符号化を順次に行ってＤＶＤに圧縮記録する処理が行われる。【０００５】
【非特許文献１】「画像＆音声圧縮技術のすべて」，第３版，ＣＱ出版社，２００１年６月１日，ｐ２２−６０
【０００６】
しかしながら、上記のレート変換ダビング技術では、復号化されたＡＶデータの表示が必ず行われるため、この表示にかかる時間がダビング時間となって、ダビング時間が長くなってしまう。【０００７】
すなわち、記録再生システムで順次に行われる復号化および符号化の開始タイミングは、画面表示に係る垂直同期信号(の偶数倍)に同期しているため、画面表示の進行に歩調を合わせてレート変換ダビングの処理が進むこととなり、画面表示にかかる時間分のダビング時間が必要となる。
【発明の開示】
【０００８】
本発明は、上記課題に鑑みてなされたものであり、映像音声データに関するレート変換ダビングの処理時間を短縮できるデータ処理技術を提供することを目的とする。
【０００９】
本発明に係るデータ処理装置は、第１の映像音声データに基づき、前記第１の映像音声データとデータサイズが異なる第２の映像音声データを生成するデータ処理装置であって、前記第１の映像音声データを所定のデータ単位毎に復号化し、復号化データを順次に生成する復号化手段と、前記復号化手段で生成された復号化データを符号化し、符号化データを順次に生成する符号化手段と、前記符号化手段で生成される符号化データに基づき、前記第２の映像音声データを構築する構築手段とを備え、前記復号化手段は、前記復号化データが生成される度に、１の復号化データが生成された旨を示す第１信号を前記符号化手段に送信する第１送信手段を有するとともに、前記符号化手段は、前記１の復号化データの符号化が完了する度に、前記１の復号化データの符号化が完了した旨を示す第２信号を前記復号化手段に送信する第２送信手段を有し、前記符号化手段では、前記第１信号を受信すると、前記１の復号化データの符号化を開始するとともに、前記復号化手段では、前記第２信号を受信すると、前記１の復号化データに対して次の復号化データの生成を開始するものである。
【００１０】
本発明に係るデータ処理方法は、第１の映像音声データに基づき、前記第１の映像音声データとデータサイズが異なる第２の映像音声データを生成するデータ処理方法であって、ａ）前記第１の映像音声データを所定のデータ単位毎に復号化し、復号化データを順次に生成する工程と、ｂ）前記工程ａ）で生成された復号化データを符号化し、符号化データを順次に生成する工程と、ｃ）前記工程ｂ）で生成される符号化データに基づき、前記第２の映像音声データを構築する構築工程とを備え、前記工程ａ）は、前記復号化データが生成される度に、１の復号化データが生成された旨を示す第１信号を発信する工程を有するとともに、前記工程ｂ）は、前記１の復号化データの符号化が完了する度に、前記１の復号化データの符号化が完了した旨を示す第２信号を発信する工程(Ｓ８)を有し、前記工程ｂ）では、前記第１信号を受信すると、前記１の復号化データの符号化を開始するとともに、前記工程ａ）では、前記第２信号を受信すると、前記１の復号化データに対して次の復号化データの生成を開始するものである。
【００１１】
本発明に係る記録再生システムは、第１の記録媒体に記録された映像データと音声データとを含む第１の映像音声データをデータ圧縮しデータサイズが小さくされた第２の映像音声データとして第２の記録媒体に記録する圧縮記録処理を行う処理手段と、前記第１の映像音声データを等倍速で再生する等倍速の再生が可能な再生手段とを備え、前記第１の映像音声データについて前記圧縮記録処理にかかる処理時間は、当該第１の映像音声データに関して前記等倍速の再生を行う再生時間より短いものである。
【００１２】
本発明に係るデータ処理装置によれば、第１の映像音声データを所定のデータ単位毎に復号化して復号化データを順次に生成する復号化手段は、復号化データが生成される度に１の復号化データが生成された旨を示す第１信号を符号化手段に送信するとともに、復号化手段で生成された復号化データを符号化して符号化データを順次に生成する符号化手段は、１の復号化データの符号化が完了する度に１の復号化データの符号化が完了した旨を示す第２信号を復号化手段に送信する。そして、符号化手段では第１信号を受信すると１の復号化データの符号化を開始するとともに、復号化手段では第２信号を受信すると１の復号化データに対して次の復号化データの生成を開始する。その結果、映像音声データに関するレート変換ダビングの処理時間を短縮できる。
【００１３】
また、本発明に係るデータ処理方法によれば、第１の映像音声データを所定のデータ単位毎に復号化して復号化データを順次に生成する工程ａ）では、復号化データが生成される度に１の復号化データが生成された旨を示す第１信号を発信するとともに、工程ａ）で生成された復号化データを符号化して符号化データを順次に生成する工程ｂ）では、１の復号化データの符号化が完了する度に１の復号化データの符号化が完了した旨を示す第２信号を発信する。そして、工程ｂ）では第１信号を受信すると１の復号化データの符号化を開始するとともに、工程ａ）では第２信号を受信すると１の復号化データに対して次の復号化データの生成を開始する。その結果、映像音声データに関するレート変換ダビングの処理時間を短縮できる。
【００１４】
また、本発明に係る記録再生システムによれば、第１の記録媒体に記録された映像音声データをデータ圧縮しデータサイズが小さくされた第２の映像音声データとして第２の記録媒体に記録する圧縮記録処理にかかる処理時間は、この第１の映像音声データに関して等倍速の再生を行う再生時間より短い。その結果、映像音声データに関するレート変換ダビングの処理時間を短縮できる。
【００１５】
この発明の目的、特徴、局面、および利点は、以下の詳細な説明と添付図面とによって、より明白となる。
【図面の簡単な説明】
【００１６】
【図１】本発明の実施の形態１に係る記録再生システムのデータ処理装置の要部構成を示すブロック図である。
【図２】ＡＶデコーダおよびＡＶエンコーダでの処理を説明するための図である。
【図３】記録再生システムのデータ処理装置におけるレート変換ダビング時の制御を説明するための図である。
【図４】記録再生システムのデータ処理装置の基本的な動作を示すフローチャートである。
【図５】本発明の実施の形態２に係る記録再生システムのデータ処理装置におけるＡＶデコーダおよびＡＶエンコーダでの処理を説明するための図である。
【図６】記録再生システムのデータ処理装置でのレート変換ダビングを説明するための図である。
【発明を実施するための最良の形態】
【００１７】
＜実施の形態１＞
＜記録再生システムの構成＞
図１は、本発明の実施の形態１に係る記録再生システム１００の要部構成を示すブロック図である。【００１８】
記録再生システム１００は、例えばＨＤＤ／ＤＶＤレコーダとして構成されており、映像音声データ（ＡＶデータ）に関するレート変換ダビングが可能なデータ処理装置１を有している。【００１９】
記録再生システム１００は、ＡＶデータを記憶する記憶部として機能するハードディスク(ＨＤＤ)１１と、ＡＶ(Audio-Video)デコーダ１２およびＡＶエンコーダ１３とを備えるとともに、映像用メモリ１４および音声用メモリ１５を有している。このうち、ＡＶデコーダ１２、ＡＶエンコーダ１３、映像用メモリ１４および音声用メモリ１５は、データ処理装置１を構成する。【００２０】
ＨＤＤ１１には、例えばチューナ(不図示)から出力された放送波のＡＶデータが録画される。このＡＶデータの録画では、例えばＭＰＥＧ技術を用いてデータ圧縮(圧縮率α)されたＡＶデータがＨＤＤ１１に記憶されることとなる。【００２１】
ＡＶデコーダ１２は、ＨＤＤ１１に記憶されているＡＶデータを復号化(デコード)する部位である。このＡＶデコーダ１２の復号化処理では、ＡＶデータ(第１の映像音声データ)が所定のデータ単位(例えばＧＯＰ単位)毎に復号化され、このデータ単位に係るＡＶデータの部分データ(以下では単に「部分データ」ともいう)についての復号化データが順次に生成される。そして、ＡＶデコーダ１２で生成された各復号化データは、映像データと音声データとに分けられ、映像データが映像用メモリ１４に順次に記憶されるとともに、音声データが音声用メモリ１５に順次に記憶されることとなる。【００２２】
ＡＶエンコーダ１３は、ＡＶデコーダ１２から映像用メモリ１４および音声用メモリ１５に書き込まれる復号化データを順次に符号化(エンコード)する部位である。そして、ＡＶエンコーダ１３で順次に生成された符号化データは、ディスク・ドライブ(不図示)にセットされているＤＶＤ(Digital Versatile Disk)９に記録される。【００２３】
ＡＶエンコーダ１３における符号化処理では、上記の録画時の圧縮率αより高い圧縮率βでＡＶデータが再圧縮(レート変換)される。これにより、ＤＶＤ９に記録されるＡＶデータ(第２の映像音声データ)のデータサイズは、ＨＤＤ１１に記憶されているＡＶデータ(第１の映像音声データ)より小さくなる。【００２４】
次に、図２を参照しつつＡＶデコーダ１２およびＡＶエンコーダ１３での処理を説明する。【００２５】
ＡＶデコーダ１２では、ＤＥＭＵＸ部１２０においてＨＤＤ１１から読み出されたＡＶデータ(符号化データ)が映像データと音声データとに分離される。そして、ＤＥＭＵＸ部１２０で分離された映像データおよび音声データは、映像デコーダ１２１および音声デコーダ１２２で復号化され、復号化データが映像用メモリ１４と音声用メモリ１５とに出力される。【００２６】
一方、ＡＶエンコーダ１３では、映像用メモリ１４から読み出された映像データの符号化が映像エンコーダ１３１において行われるとともに、音声用メモリ１５から読み出された音声データの符号化が音声エンコーダ１３２において行われる。そして、映像エンコーダ１３１および音声エンコーダ１３２で符号化された映像データおよび音声データはＭＵＸ部１３０において合成されることにより、符号化データとしてのＡＶデータ(第２の映像音声データ)が構築されることとなる。【００２７】
以上の構成を有する記録再生システム１００のデータ処理装置１では、ＨＤＤ１１内のＡＶデータ(第１の映像音声データ)に基づき、このＡＶデータとデータサイズが異なるＡＶデータ(第２の映像音声データ)の生成が可能となっている。すなわち、ＨＤＤ１１に記憶されているＡＶデータをＡＶエンコーダ１３で再圧縮(レート変換)してＤＶＤ９にダビングするレート変換ダビングが可能である。このレート変換ダビング時の制御について以下で説明する。【００２８】
＜レート変換ダビング時の制御について＞
記録再生システム１００のデータ処理装置１は、復号化処理の完了を通知する制御信号Ｃａ(図１,２)をＡＶデコーダ１２からＡＶエンコーダ１３に送信できるとともに、符号化処理の完了を通知する制御信号Ｃｂ(図１,２)をＡＶエンコーダ１３からＡＶデコーダ１２に送信できる構成となっている。これらの制御信号Ｃａ、Ｃｂを用いることにより記録再生システム１００のデータ処理装置１では、レート変換ダビングを高速に行えるようになっているが、このレート変換ダビング時の制御について具体的に説明する。【００２９】
図３は、記録再生システム１００のデータ処理装置１におけるレート変換ダビング時の制御を説明するための図である。図３の横軸は、レート変換ダビング開始からの経過時間ｔを示している。また、図３では、上段にＡＶデータを構成する各部分データ(例えばＧＯＰデータ)ＤＡ〜ＤＧの復号化に必要な処理時間をタイムチャートとして示し、下段に復号化された部分データＤＡ〜ＤＧの符号化に必要な処理時間をタイムチャートとして示している。【００３０】
記録再生システム１００のデータ処理装置１でレート変換ダビングが開始されると、まずＡＶデコーダ１２において最初の部分データＤＡの復号化が開始される。そして、部分データＤＡの復号化が完了すると、ＡＶデコーダ１２から制御信号Ｃａ(図１)が発信される。この制御信号Ｃａを受信したＡＶエンコーダ１３では、制御信号Ｃａを符号化開始の基準信号として、直ちに映像用メモリ１４および音声用メモリ１５に記憶されているデータ(復号化データ)ＤＡの符号化を開始する。【００３１】
ＡＶエンコーダ１３において部分データＤＡの符号化が完了すると、ＡＶエンコーダ１３から制御信号Ｃｂ(図１)が発信される。この制御信号Ｃｂを受信したＡＶデコーダ１２では、制御信号Ｃｂを復号化開始の基準信号として、直ちにＨＤＤ１１に記憶されている次の部分データＤＢの復号化が開始される。【００３２】
このような制御信号Ｃａ、Ｃｂを用いた制御は、ＡＶデータの部分データＤＢ〜ＤＧについても同様に行われることとなる。【００３３】
以上のように、ＡＶデコーダ１２は各データＤＡ〜ＤＧの復号化データが生成される度に１つの復号化データが生成された旨を示す制御信号(第１信号)ＣａをＡＶエンコーダ１３に送信し、ＡＶエンコーダ１３では制御信号Ｃａを受信すると、この復号化データの符号化を開始する。一方、ＡＶエンコーダ１３でも復号化データの符号化が完了する度に１つの復号化データの符号化が完了した旨を示す制御信号(第２信号)ＣｂをＡＶデコーダ１２に送信するとともに、ＡＶデコーダ１２では制御信号Ｃｂを受信すると、この復号化データに対して次の復号化データの生成を開始する。これにより、復号化処理および符号化処理に無駄なく時間を使えるため、レート変換ダビングを高速に行えることとなる。すなわち、記録再生システム１００では、データ処理装置１においてＨＤＤ(記録媒体)１１に記録された映像音声データをデータ圧縮しデータサイズが小さくされた映像音声データとしてＤＶＤ(記録媒体)９に記録する圧縮記録処理にかかる処理時間は、このＨＤＤ１１内の映像音声データに関してＡＶデコータ１２を用い等倍速の再生を行う通常の再生時間より短くすることが可能である。【００３４】
＜記録再生システム１００のデータ処理装置１の動作＞
図４は、記録再生システム１００のデータ処理装置１の基本的な動作を示すフローチャートである。【００３５】
まず、ＨＤＤ１１内のＡＶデータのデコードを開始する前に、デコードに必要なデータ(例えば再生制御情報)をＡＶデータから取得する(ステップＳ１)。【００３６】
ステップＳ２では、ＡＶデコーダ１２においてＨＤＤ１１に記憶されているＡＶデータの１つの部分データ(例えばＧＯＰデータ)のデコードを開始する。【００３７】
ステップＳ３では、ステップＳ２で開始した部分データのデコードを完了する。【００３８】
ステップＳ４では、デコードした部分データ(復号化データ)を映像用メモリ１４および音声用メモリ１５に展開する。【００３９】
ステップＳ５では、ステップＳ４で復号化データが展開された映像用メモリ１４および音声用メモリ１５のメモリ領域を、ＡＶエンコーダ１３に通知する。この通知は、デコード完了を伝える制御信号Ｃａ(図１)によって行われる。【００４０】
ステップＳ６では、ステップＳ５の通知を受けたＡＶエンコーダ１３において、映像用メモリ１４および音声用メモリ１５に記憶されている復号化データのエンコードを開始する。【００４１】
ステップＳ７では、ステップＳ６で開始した復号化データのエンコードを完了する。【００４２】
ステップＳ８では、次の部分データのデコードにおいて展開可能な映像用メモリ１４および音声用メモリ１５のメモリ領域を、ＡＶデコーダ１２に通知する。この通知は、エンコード完了を伝える制御信号Ｃｂ(図１)によって行われる。【００４３】
ステップＳ９では、ＨＤＤ１１内のＡＶデータの全データに関するデコードおよびエンコードが完了したかを判定する。ここで、デコードおよびエンコードが完了した場合には、ステップＳ１１に進み、完了していない場合には、ステップＳ１０に進む。【００４４】
ステップＳ１０では、ＡＶデータにおける次の部分データのデコードを行う前に、デコードに必要なデータ(例えば再生制御情報)をＡＶデコーダ１２で取得する。【００４５】
ステップＳ１１では、ＡＶデータの全データの処理が完了したため、ＡＶデコーダ１２およびＡＶエンコーダ１３での処理を停止する。【００４６】
以上のような記録再生システム１００のデータ処理装置１の動作により、ＡＶデコーダ１２での復号化処理の完了を通知する制御信号Ｃａを受信したＡＶエンコーダ１３では直ちに符号化処理を開始するとともに、ＡＶエンコーダ１３での符号化処理の完了を通知する制御信号Ｃｂを受信したＡＶデコーダ１２では直ちに復号化処理を開始するため、ＡＶデータに関するレート変換ダビングの処理時間を短縮できる。【００４７】
＜実施の形態２＞
本発明の実施の形態２に係る記録再生システム１００のデータ処理装置１Ａについては、図１に示す実施の形態１の記録再生システム１００のデータ処理装置１と類似の構成を有しているが、ＡＶデコーダとＡＶエンコーダとの構成が異なっている。すなわち、記録再生システム１００のデータ処理装置１ＡのＡＶデコーダ１２ＡおよびＡＶエンコーダ１３Ａでは、実施の形態１と異なる処理をが実行されるが、この処理について以下で説明する。【００４８】
図５は、ＡＶデコーダ１２ＡおよびＡＶエンコーダ１３Ａでの処理を説明するための図である。【００４９】
ＡＶデコーダ１２Ａでは、ＤＥＭＵＸ部１２０においてＨＤＤ１１から読み出されたＡＶデータ(符号化データ)が映像データと音声データとに分離して出力される。このＤＥＭＵＸ部１２０から出力された映像データは、実施の形態１のＡＶデコーダ１２と同様に、映像デコーダ１２１に入力されて復号化され、復号化データが映像用メモリ１４に出力される。一方、ＤＥＭＵＸ部１２０から出力された音声データは、実施の形態１と異なり、音声デコーダ１２２に入力されずに、音声用メモリ１５に直接出力される。【００５０】
ＡＶエンコーダ１３Ａでは、実施の形態１のＡＶエンコーダ１３と同様に、映像用メモリ１４から読み出された映像データの符号化が映像エンコーダ１３１において行われる。一方、音声エンコーダ１３２では、実施の形態１と異なり、音声用メモリ１５に記憶されている音声データの符号化は行われない。そして、映像エンコーダ１３１で符号化された映像データと、音声用メモリ１５から直接読み出された音声データとは、ＭＵＸ部１３０において合成され、ＡＶデータ(符号化データ)としてＤＶＤ９に記録されることとなる。【００５１】
以上のＡＶデコーダ１２ＡおよびＡＶエンコーダ１３Ａでの処理により、ＡＶデータのうち映像データのみがデータ圧縮されることとなるが、これについて図６を参照しつつ説明する。【００５２】
図６は、記録再生システム１００のデータ処理装置１Ａでのレート変換ダビングを説明するための図である。ここで、図６(ａ)は、レート変換ダビング前のＧＯＰデータのデータ構造の一例を示しており、図６(ｂ)は、レート変換ダビング後のＧＯＰデータのデータ構造の一例が示されている。【００５３】
図６(ａ)に示すように、ＧＯＰデータは、再生制御情報やデータ・サーチ情報が格納されるナビゲーションデータＮＰと、映像データＶＰと、音声データＡＰとで構成されている。【００５４】
記録再生システム１００のデータ処理装置１Ａにおいて図６(ａ)に示すＧＯＰデータをレート変換ダビングする場合には、上述のように音声データの復号化および符号化が行われないため、図６(ｂ)に示すように、音声データＡＰが圧縮されず、映像データＶＰのみが圧縮されることとなる。【００５５】
このようなレート変換ダビングにおいては、復号化前のＧＯＰデータに関する時間情報(時間軸情報)を記録再生システム１００のデータ処理装置１Ａの内部に保存しておき、この保存された時間情報を符号化時に使用すると良い。【００５６】
すなわち、ＡＶエンコーダ１３での符号化時に圧縮率が変化すると、元のＡＶデータに比べてデータ量は変化するものの、映像および音声としての時間情報（例えば、ある映像・音声の再生タイミングの情報(先頭フレームを基準とした相対時間情報)）は、圧縮率の変化に関係なく不変である。よって、ＡＶデコーダ１２での復号化前に元のＡＶデータ（第１の映像音声データ）における上記の時間情報を内部的に保存しておき、この保存した時間情報を映像データの符号化後に利用して新しいＡＶデータ(第２の映像音声データ)を構築することにより、ＡＶエンコーダ１３において新しいＡＶデータの時間情報を生成する手間を省けることとなる。さらに、元のＡＶデータの時間情報を利用すれば、より忠実な再現(再生)が可能となる。【００５７】
以上のような記録再生システム１００のデータ処理装置１Ａの動作により、実施の形態１の記録再生システム１００のデータ処理装置１と同様の効果を奏する。さらに、記録再生システム１００のデータ処理装置１Ａでは、ＡＶデータ(第１の映像音声データ)について音声データの復号化および符号化を行なわず映像データのみの復号化および符号化を行うため、レート変換ダビングの処理時間を一層短縮できる。【００５８】
この発明は詳細に説明されたが、上記した説明は、すべての局面において、例示であって、この発明がそれに限定されるものではない。例示されていない無数の変形例が、この発明の範囲から外れることなく想定され得るものと解される。
【図１】
2008023763.tif 000003
【図２】
2008023763.tif 000004
【図３】
2008023763.tif 000005
【図４】
2008023763.tif 000006
【図５】
2008023763.tif 000007
【図６】
2008023763.tif 000008
【国際調査報告】
2008023763.tif 000009
2008023763.tif 000010